(57)【要約】【課題】従来の技術による諸問題を解決するため、プラズマディスプレイパネルの電力損失を低減する方法を提供する。【解決手段】この発明による方法は、（ａ）第一期間内に第一回復コンデンサーがＰＤＰのパネルを通して第二回復コンデンサーを充電し、（ｂ）第二期間内にパネルが第二回復コンデンサーを充電し、（ｃ）第三期間内に第二回復コンデンサーがパネルを通して第一回復コンデンサーを充電し、（ｄ）第四期間内にパネルが第一回復コンデンサーを充電するなどのステップを含む。【選択図】図７
2007052389.tif 000002
【特許請求の範囲】
【請求項１】
プラズマディスプレイパネル（ＰＤＰ）の電力損失を低減する方法であって、
（ａ）第一期間内に第一回復コンデンサーが前記ＰＤＰのパネルを通して第二回復コンデンサーを充電し、
（ｂ）第二期間内に前記パネルが前記第二回復コンデンサーを充電し、
（ｃ）第三期間内に前記第二回復コンデンサーが前記ＰＤＰのパネルを通して前記第一回復コンデンサーを充電し、
（ｄ）第四期間内に前記パネルが前記第一回復コンデンサーを充電するステップを含むことを特徴とする方法。
【請求項２】
前記ステップ（ａ）が前記ステップ（ｄ）の後に実行され、前記ステップ（ｂ）が前記ステップ（ａ）の後に実行され、前記ステップ（ｃ）が前記ステップ（ｂ）の後に実行され、前記ステップ（ｄ）が前記ステップ（ｃ）の後に実行されることを特徴とする請求項１記載の方法。
【請求項３】
前記方法は更に、
（ｅ）第五期間内に前記第一回復コンデンサーが前記パネルを充電し、
（ｆ）第六期間内に前記第二回復コンデンサーが前記パネルを充電するステップを含むことを特徴とする請求項１記載の方法。
【請求項４】
前記ステップ（ａ）が前記ステップ（ｅ）の後に実行され、前記ステップ（ｂ）が前記ステップ（ａ）の後に実行され、前記ステップ（ｆ）が前記ステップ（ｂ）の後に実行され、前記ステップ（ｃ）が前記ステップ（ｆ）の後に実行され、前記ステップ（ｄ）が前記ステップ（ｃ）の後に実行され、前記ステップ（ｅ）が前記ステップ（ｄ）の後に実行されることを特徴とする請求項３記載の方法。
【請求項５】
前記方法は更に、
（ｇ）第七期間内に前記パネルの第一電極を第一バイアス端に接続して前記パネルの第二電極を第二バイアス端に接続し、
（ｈ）第八期間内に前記パネルの第一電極を第二バイアス端に接続して前記パネルの第二電極を第一バイアス端に接続するステップを含むことを特徴とする請求項１記載の方法。
【請求項６】
ＰＤＰの電力損失を低減する方法であって、
（ａ）第一期間内に第一直列共振ループを形成することによって、第一回復コンデンサーが前記ＰＤＰのパネルを通して第二回復コンデンサーを充電するようにさせ、
（ｂ）第二期間内に第二直列共振ループを形成することによって、前記パネルが前記第二回復コンデンサーを充電するようにさせ、
（ｃ）第三期間内に第三直列共振ループを形成することによって、前記第二回復コンデンサーが前記ＰＤＰのパネルを通して前記第一回復コンデンサーを充電するようにさせ、
（ｄ）第四期間内に第四直列共振ループを形成することによって、前記パネルが前記第一回復コンデンサーを充電するようにさせるステップを含むことを特徴とする方法。
【請求項７】
前記ステップ（ａ）が前記ステップ（ｄ）の後に実行され、前記ステップ（ｂ）が前記ステップ（ａ）の後に実行され、前記ステップ（ｃ）が前記ステップ（ｂ）の後に実行され、前記ステップ（ｄ）が前記ステップ（ｃ）の後に実行されることを特徴とする請求項６記載の方法。
【請求項８】
前記方法は更に、
（ｅ）第五期間内に第五直列共振ループを形成することによって、前記第一回復コンデンサーが前記パネルを充電するようにさせ、
（ｆ）第六期間内に第六直列共振ループを形成することによって、前記第二回復コンデンサーが前記パネルを充電するようにさせるステップを含むことを特徴とする請求項６記載の方法。
【請求項９】
前記ステップ（ａ）が前記ステップ（ｅ）の後に実行され、前記ステップ（ｂ）が前記ステップ（ａ）の後に実行され、前記ステップ（ｆ）が前記ステップ（ｂ）の後に実行され、前記ステップ（ｃ）が前記ステップ（ｆ）の後に実行され、前記ステップ（ｄ）が前記ステップ（ｃ）の後に実行され、前記ステップ（ｅ）が前記ステップ（ｄ）の後に実行されることを特徴とする請求項８記載の方法。
【請求項１０】
前記方法は更に、
（ｇ）第七期間内に前記パネルの第一電極を第一バイアス端に接続して前記パネルの第二電極を第二バイアス端に接続し、
（ｈ）第八期間内に前記パネルの第一電極を第二バイアス端に接続して前記パネルの第二電極を第一バイアス端に接続するステップを含むことを特徴とする請求項６記載の方法。
【請求項１１】
ＰＤＰの電力損失を低減する方法であって、
（ａ）第一期間内に第一回復コンデンサーが第一インダクターと、前記ＰＤＰのパネルと、第二インダクターとを通して第二回復コンデンサーを充電し、
（ｂ）第二期間内に前記パネルが前記第二インダクターを通して前記第二回復コンデンサーを充電し、
（ｃ）第三期間内に前記第二回復コンデンサーが前記第二インダクターと、前記ＰＤＰのパネルと、前記第一インダクターとを通して前記第一回復コンデンサーを充電し、
（ｄ）第四期間内に前記パネルが前記第一インダクターを通して前記第一回復コンデンサーを充電するステップを含むことを特徴とする方法。
【請求項１２】
前記ステップ（ａ）が前記ステップ（ｄ）の後に実行され、前記ステップ（ｂ）が前記ステップ（ａ）の後に実行され、前記ステップ（ｃ）が前記ステップ（ｂ）の後に実行され、前記ステップ（ｄ）が前記ステップ（ｃ）の後に実行されることを特徴とする請求項１１記載の方法。
【請求項１３】
前記方法は更に、
（ｅ）第五期間内に前記第一回復コンデンサーが前記第一インダクターを通して前記パネルを充電し、
（ｆ）第六期間内に前記第二回復コンデンサーが前記第二インダクターを通して前記パネルを充電するステップを含むことを特徴とする請求項１１記載の方法。
【請求項１４】
前記ステップ（ａ）が前記ステップ（ｅ）の後に実行され、前記ステップ（ｂ）が前記ステップ（ａ）の後に実行され、前記ステップ（ｆ）が前記ステップ（ｂ）の後に実行され、前記ステップ（ｃ）が前記ステップ（ｆ）の後に実行され、前記ステップ（ｄ）が前記ステップ（ｃ）の後に実行され、前記ステップ（ｅ）が前記ステップ（ｄ）の後に実行されることを特徴とする請求項１３記載の方法。
【請求項１５】
前記方法は更に、
（ｇ）第七期間内に前記パネルの第一電極を第一バイアス端に接続して前記パネルの第二電極を第二バイアス端に接続し、
（ｈ）第八期間内に前記パネルの第一電極を第二バイアス端に接続して前記パネルの第二電極を第一バイアス端に接続するステップを含むことを特徴とする請求項１１記載の方法。
【発明の詳細な説明】
【技術分野】
【０００１】
この発明はプラズマディスプレイパネルの電力損失を低減する方法に関し、特にプラズマディスプレイパネルの電力回復の効果を高める方法に関する。
【背景技術】
【０００２】
プラズマディスプレイパネル（ＰＤＰ）は大寸法かつ薄型を特長にして、大型ディスプレイ市場において急速に主流となってきている。ＰＤＰは、高周波の交流電圧でＰＤＰを充電することによってプラズマの中の電荷を励起することによって紫外線を発し、それにより管壁に塗ってある蛍光体を励起して発光する。その回路特性からみればＰＤＰはコンデンサーのように動く。ＰＤＰの両極に対して突然短絡させるかまたは高電圧を印加すると、突入電流が生じて、大きな電力損失がもたらされる。これはまさにＰＤＰの駆動回路の解決すべき問題である。このような突入電流を低減するためには、従来はＰＤＰの駆動回路の保持電極駆動回路（sustain driver）にエネルギー回復回路（ＥＲＣ）を導入することによって、内在するコンデンサーとインダクターとの共振を利用してプラズマディスプレイパネル放電時の電力損失を低減する。
【０００３】
図１を参照する。図１は従来のＰＤＰ１０の保持電極駆動回路におけるＥＲＣの回路図である。エネルギー回復回路は第一駆動回路２０と第二駆動回路３０を含み、第一駆動回路２０と第二駆動回路３０はＰＤＰのパネル１０の両側にそれぞれ接続され、保持電圧Ｖｓをパネル１０に供給する。回路図では、パネル１０はパネルコンデンサーＣｐと示される。第一駆動回路２０は第一駆動ユニット２２と第一回復ユニット２４を含み、そのうち第一駆動ユニット２２は２個のスイッチＳＷ１、ＳＷ２を備え、第一回復ユニット２４は２個のダイオード（Ｄ１、Ｄ２）と、２個のスイッチ（ＳＷ５、ＳＷ６）と、第一インダクターＬｘと、第一回復コンデンサーＣｘとを備える。スイッチＳＷ１の一端は第一バイアス端Ｖｓに接続され、その他の一端は第一インダクターＬｘと、スイッチＳＷ２と、パネルコンデンサーＣｐの左側電極に接続される。スイッチＳＷ２と第一回復コンデンサーＣｘは接地端ＧＮＤ（第二バイアス端）に接続され、第一回復コンデンサーＣｘのその他の一端はスイッチＳＷ５とＳＷ６とに接続される。相互に直列接続されたスイッチＳＷ５とダイオードＤ１は第一回復コンデンサーＣｘと、第一インダクターＬｘと、ダイオードＤ２に接続され、相互に直列接続されたダイオードＤ２とスイッチＳＷ６は第一回復コンデンサーＣｘと、第一インダクターＬｘと、ダイオードＤ１に接続される。第二駆動回路３０は第一駆動回路２０と対称となる回路構造を有する。第二駆動回路３０は第二駆動ユニット３２と第二回復ユニット３４とを含み、そのうち第二駆動ユニット３２は２個のスイッチＳＷ３、ＳＷ４を備え、第二回復ユニット３４は２個のダイオード（Ｄ３、Ｄ４）と、２個のスイッチ（ＳＷ７、ＳＷ８）と、第二インダクターＬｙと第二回復コンデンサーＣｙとを備える。
【０００４】
図１と図２を参照する。図２は図１における第一駆動回路２０と第二駆動回路３０の制御信号の１操作周期内のタイミング図である。ｔ３〜ｔ４の期間中、パネルコンデンサーＣｐのエネルギーは第二回復ユニット３４に移転し、第二駆動ユニット３２はパネルコンデンサーＣｐの右側電極の電圧Ｖｙを電圧レベルＶｓから０電位に下げる。この際、スイッチＳＷ１、ＳＷ８はオンにされ、パネルコンデンサーＣｐと、第二インダクターＬｙと、ダイオードＤ４と、第二回復コンデンサーＣｙは直列共振ループＩ１を形成し、それを受けてパネルコンデンサーＣｐは第二回復コンデンサーＣｙを充電する。理想的な状態では、スイッチＳＷ４をオンにする前に、共振ループＩ１によって、第二回復コンデンサーＣｙのスイッチＳＷ７、ＳＷ８への接続端の電位はＶｓ／２に上がり、電位Ｖｙは０電位に下がるはずであるが、しかし高周波数容量効果、インダクタンス効果、抵抗効果の影響を受け、第二回復コンデンサーＣｙの電位は（Ｖｓ／２−ΔＶ１）にまでしか上がらず、電位ＶｙもΔ２にまでしか下がることはない。そのうちΔＶ１、ΔＶ２はいずれも正電位であり、ΔＶ１はＶｓ／２より低いのである。従って、スイッチＳＷ４をオンにし、パネルコンデンサーＣｐの右側電極を接地端ＧＮＤに接続すると、電位ＶｙはΔＶ２から０電位に下がる。これによりパネル１０の右側電極を接地端ＧＮＤに接続する際に電力損失が発生する。
【０００５】
図２と図３を参照する。図３はｔ５〜ｔ７の期間中における図１の駆動回路２０、３０を表す回路図である。ｔ５〜ｔ７の期間中、ｔ３〜ｔ４の期間中に第二回復コンデンサーＣｙに保存されたエネルギーはパネルコンデンサーＣｐに再保存され、これによりパネル１０の右側電極の電圧Ｖｙは０電位から上がる。この際、スイッチＳＷ１、ＳＷ７はオンにされ、第二回復コンデンサーＣｙと、ダイオードＤ３と、第二インダクターＬｙと、パネルコンデンサーＣｐは直列共振ループＩ２を形成し、それを受けて第二回復コンデンサーＣｙはパネルコンデンサーＣｐを充電する。理想的な状態では、電圧Ｖｙは保持電圧Ｖｓに上がるはずであるが、しかし、前記と同じような高周波数容量効果、インダクタンス効果、抵抗効果の影響を受け、電圧Ｖｙは（Ｖｓ−２ΔＶ１）にまでしか上がらない。そのため時点ｔ７以降、スイッチＳＷ３をオンにすると、電圧Ｖｙは（Ｖｓ−２ΔＶ１）からＶｓに上がる。これによりパネル１０の右側電極をバイアス端Ｖｓに接続する際に電力損失が発生する。
【０００６】
図２と図４を参照する。図４はｔ７〜ｔ８の期間中における図１の駆動回路２０、３０を表す回路図である。ｔ７〜ｔ８の期間中、パネルコンデンサーＣｐのエネルギーは第一回復ユニット２４に移転し、第一駆動ユニット２２はパネルコンデンサーＣｐの左側電極の電圧Ｖｘを電圧レベルＶｓから下げる。この際、スイッチＳＷ３、ＳＷ６はオンにされ、パネルコンデンサーＣｐと、第一インダクターＬｘと、ダイオードＤ２と、第一回復コンデンサーＣｘは直列共振ループＩ３を形成し、それを受けてパネルコンデンサーＣｐは第一回復コンデンサーＣｘを充電する。理想的な状態では、スイッチＳＷ２をオンにする前に、回路共振のため、第一回復コンデンサーＣｘのスイッチＳＷ５、ＳＷ６への接続端の電位はＶｓ／２に上がり、電位Ｖｘは０電位に下がるはずであるが、しかし、前記と同じような高周波数容量効果、インダクタンス効果、抵抗効果の影響を受け、第一回復コンデンサーＣｘの電位は（Ｖｓ／２−ΔＶ１）にまでしか上がらず、電位ＶｘはΔＶ２にまでしか下がらない。そのため、スイッチＳＷ２をオンにし、パネルコンデンサーＣｐの左側電極を接地端ＧＮＤに接続すると、電位ＶｘはΔＶ２から０電位に下がる。これによりパネル１０の左側電極を接地端ＧＮＤに接続する際に電力損失が発生する。
【０００７】
図２と図５を参照する。図５はｔ１〜ｔ３の期間中における図１の駆動回路２０、３０を表す回路図である。ｔ１〜ｔ３の期間中、その前の操作周期であるｔ７〜ｔ８の期間中に第一回復コンデンサーＣｘに保存されたエネルギーはパネルコンデンサーＣｐに再保存され、これによりパネル１０の左側電極の電圧Ｖｘは０電位から上がる。この際、スイッチＳＷ３、ＳＷ５はオンにされ、第一回復コンデンサーＣｘと、ダイオードＤ１と、第一インダクターＬｘと、パネルコンデンサーＣｐは直列共振ループＩ４を形成し、それを受けて第一回復コンデンサーＣｘはパネルコンデンサーＣｐを充電する。理想的な状態では、電圧ＶｘはＶｓに上がるはずであるが、しかし、前記と同じような高周波数容量効果、インダクタンス効果、抵抗効果の影響を受け、電圧Ｖｘは（Ｖｓ−２ΔＶ１）にまでしか上がらない。そのため時点ｔ３以降、スイッチＳＷ１をオンにすると、電圧Ｖｘは（Ｖｓ−２ΔＶ１）からＶｓに上がる。これによりパネル１０の左側電極をバイアス端Ｖｓに接続する際に電力損失が発生する。
【０００８】
したがって、ＰＤＰの保持電極駆動回路を駆動する従来の方法においては、高周波数容量効果、インダクタンス効果、抵抗効果の影響を受け、第一駆動回路２０と第二駆動回路３０はパネル左右両側の電極が第一バイアス端Ｖｓ又は接地端ＧＮＤに接続される前に、電位Ｖｘ、ＶｙをＶｓまたは０電位に調整することができず、言い換えればゼロボルトスイッチ（ＺＶＳ）を実現することができない。
【発明の開示】
【発明が解決しようとする課題】
【０００９】
この発明は前述の問題を解決するため、ＰＤＰの電力損失を低減する方法を提供することを課題とする。
【課題を解決するための手段】
【００１０】
この発明によるプラズマディスプレイパネル（ＰＤＰ）の電力損失を低減する方法は、（ａ）第一期間内に第一回復コンデンサーがＰＤＰのパネルを通して第二回復コンデンサーを充電し、（ｂ）第二期間内にパネルが第二回復コンデンサーを充電し、（ｃ）第三期間内に第二回復コンデンサーがパネルを通して第一回復コンデンサーを充電し、（ｄ）第四期間内にパネルが第一回復コンデンサーを充電するステップを含む。
この発明によるその他のＰＤＰの電力損失を低減する方法は、（ａ）第一期間内に第一直列共振ループを形成することによって、第一回復コンデンサーがＰＤＰのパネルを通して第二回復コンデンサーを充電するようにさせ、（ｂ）第二期間内に第二直列共振ループを形成することによって、パネルが第二回復コンデンサーを充電するようにさせ、（ｃ）第三期間内に第三直列共振ループを形成することによって、第二回復コンデンサーがパネルを通して第一回復コンデンサーを充電するようにさせ、（ｄ）第四期間内に第四直列共振ループを形成することによって、パネルが第一回復コンデンサーを充電するようにさせるステップを含む。
【００１１】
この発明による更なるＰＤＰの電力損失を低減する方法は、（ａ）第一期間内に第一回復コンデンサーが第一インダクターと、ＰＤＰのパネルと、第二インダクターとを通して第二回復コンデンサーを充電し、（ｂ）第二期間内にパネルが第二インダクターを通して第二回復コンデンサーを充電し、（ｃ）第三期間内に第二回復コンデンサーが第二インダクターと、パネルと、第一インダクターとを通して第一回復コンデンサーを充電し、（ｄ）第四期間内にパネルが第一インダクターを通して第一回復コンデンサーを充電するステップを含む。
【発明の効果】
【００１２】
この発明による方法は２個の回復コンデンサーにそれぞれ２回充電する。それにより、保持電極を第一バイアス端Ｖｓに接続する前に、パネルコンデンサーの左右両側の電位はバイアス端Ｖｓの電位に近づくようになる。したがってこの発明による方法で駆動されるＰＤＰの電力損失は従来の技術より少ないのである。
【発明を実施するための最良の形態】
【００１３】
かかる方法の特徴を詳述するために、具体的な実施例を挙げ、図示を参照にして以下に説明する。
【００１４】
図２及び図６から図８を参照する。図６はこの発明における図１の保持電極駆動回路の制御信号の１操作周期内のタイミング図であり、図７は図６のｔ２〜ｔ３の期間中における図１の駆動回路を表す回路図であり、図８は図６のｔ６〜ｔ７の期間中における図１の駆動回路２０及び３０を表す回路図である。従来の駆動方法と異なり、この発明による駆動方法は、第一回復コンデンサーＣｘと第二回復コンデンサーＣｙを１操作周期内に２回充電する。
【００１５】
ｔ１〜ｔ２の期間中、この発明による駆動方法はｔ１〜ｔ３の期間中における従来の駆動方法に類似する。図５に示されるように、スイッチＳＷ３、ＳＷ５をオンにすることにより、直列共振ループＩ４を形成し、一つ前の操作周期中に第一回復コンデンサーＣｘに保存されたエネルギーをパネルコンデンサーＣｐに再保存する。ｔ２〜ｔ３の期間中、この発明による駆動回路２０、３０を制御する方法は図７に示される通り、スイッチＳＷ５、ＳＷ８をオンにすることにより、直列共振ループＩ５を形成し、それを受けて第一回復コンデンサーＣｘはパネル１０を通して第二回復コンデンサーＣｙに対して第一回充電を行う。ｔ３〜ｔ４の期間中、この発明による駆動方法はｔ３〜ｔ４の期間中における従来の駆動方法に類似する。図１に示されるように、スイッチＳＷ１、ＳＷ８をオンにすることにより、直列共振ループＩ１を形成し、それを受けてパネルコンデンサーＣｐは第二回復コンデンサーＣｙに対して第二回充電を行う。ｔ５〜ｔ６の期間中、この発明による駆動方法はｔ５〜ｔ７の期間中における従来の駆動方法に類似する。図３に示されるように、スイッチＳＷ１、ＳＷ７をオンにすることにより、直列共振ループＩ２を形成し、第二回復コンデンサーＣｙに保存されたエネルギーをパネルコンデンサーＣｐに再保存する。ｔ６〜ｔ７の期間中、この発明による駆動回路２０、３０を制御する方法は図８に示される通り、スイッチＳＷ６、ＳＷ７をオンにすることにより、直列共振ループＩ６を形成し、それを受けて第二回復コンデンサーＣｙはパネル１０を通して第一回復コンデンサーＣｘに対して第一回充電を行う。ｔ７〜ｔ８の期間中、この発明による駆動方法はｔ７〜ｔ８期間中における従来の駆動方法に類似する。図４に示されるように、スイッチＳＷ３、ＳＷ６をオンにすることにより、直列共振ループＩ３を形成し、それを受けてパネルコンデンサーＣｐは第一回復コンデンサーＣｘに対して第二回充電を行う。
【００１６】
パネルコンデンサーＣｐが第一回復コンデンサーＣｘまたは第二回復コンデンサーＣｙを充電する際、高周波数容量効果、インダクタンス効果、抵抗効果により、第一回復コンデンサーＣｘまたは第二回復コンデンサーＣｙの両端の電圧差の上げ幅はＶｓ／２でなく（Ｖｓ／２−ΔＶ１）にまでしか達することができない。しかし、直列共振ループＩ５、Ｉ６が既に形成されており、この発明による駆動方法は操作周期ごとに第一回復コンデンサーＣｘと第二回復コンデンサーＣｙを２回充電し、そのため第一回復コンデンサーＣｘと第二回復コンデンサーＣｙの両端の充電後電位差は従来の（Ｖｓ／２−ΔＶ１）より高い。第一回復コンデンサーＣｘと第二回復コンデンサーＣｙの両端の充電後電位差は従来の（Ｖｓ／２−ΔＶ１）より高いため、第一回復コンデンサーＣｘまたは第二回復コンデンサーＣｙに保存されるエネルギーをパネルコンデンサーＣｐに再保存した後、電圧ＶｘまたはＶｙは従来の（Ｖｓ−２ΔＶ１）よりも高く、保持電圧Ｖｓにほぼ等しい。ゆえに、スイッチＳＷ１又はＳＷ２をオンとして、パネルコンデンサーＣｐの左右両側を第一バイアス端Ｖｓと接続するとき、電圧Ｖｘ又はＶｙの変動幅は従来の技術より小さい。したがって、この発明による方法はエネルギーの損失を防ぎ、ＺＶＳに近い状態を実現することができる。
【００１７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００１８】
この発明による方法は２個の回復コンデンサーにそれぞれ２回充電する。それにより、保持電極をバイアス端Ｖｓに接続するとき、パネルコンデンサーの左右両側の電位はバイアス端Ｖｓの電位に近づくようになる。したがってこの発明による方法で駆動されるＰＤＰの電力損失は従来の技術より少ないのである。
【図面の簡単な説明】
【００１９】
【図１】従来のＰＤＰの保持電極駆動回路におけるＥＲＣの回路図である。
【図２】図１における第一駆動回路と第二駆動回路の制御信号の１操作周期内のタイミング図である。
【図３】図２のｔ５〜ｔ７の期間中における図１の駆動回路を表す回路図である。
【図４】図２のｔ７〜ｔ８の期間中における図１の駆動回路を表す回路図である。
【図５】図２のｔ１〜ｔ３の期間中における図１の駆動回路を表す回路図である。
【図６】この発明における図１の保持電極駆動回路の制御信号の１操作周期内のタイミング図である。
【図７】図６のｔ２〜ｔ３の期間中における図１の駆動回路を表す回路図である。
【図８】図６のｔ６〜ｔ７の期間中における図１の駆動回路を表す回路図である。
【符号の説明】
【００２０】
１０                 パネル
２０                 第一駆動回路
２２                 第一駆動ユニット
２４                 第一回復ユニット
３０                 第二駆動回路
３２                 第二駆動ユニット
３４                 第二回復ユニット
Ｖｓ                 第一バイアス端
ＧＮＤ               接地端
Ｃｐ                 パネルコンデンサー
Ｌｘ                 第一インダクター
Ｌｙ                 第二インダクター
Ｃｘ                 第一回復コンデンサー
Ｃｙ                 第二回復コンデンサー
Ｄ１〜Ｄ４           ダイオード
Ｉ１〜Ｉ６          直列共振ループ
ＳＷ１〜ＳＷ８       スイッチ
【図１】
2007052389.tif 000003
【図２】
2007052389.tif 000004
【図３】
2007052389.tif 000005
【図４】
2007052389.tif 000006
【図５】
2007052389.tif 000007
【図６】
2007052389.tif 000008
【図７】
2007052389.tif 000009
【図８】
2007052389.tif 000010